(57)【要約】      （修正有）【課題】海底およびダムのシルト堆積を有効に抽出することにより、ダムの貯水量を正常な水量に維持し、ダムの貯水・洪水防止機能を有効に発揮し、且つダムの使用期限を延長できるダム・シルトの取除き及び水回収システムを提供する。【解決手段】システムは、海面位置箇所に設置される一つの第１の気密式泥シンク池２０１を含んでなり、海底に設置された泥引出・排出管１０により、シルトを含有する海水を、第１の気密式泥シンク池２０１へ吸引し、シルトが第１の気密式泥シンク池２０１の池底に沈殿し、海水が更に第１の気密式泥シンク池２０１の上方における導水管１１を経由して陸地上の地底層に設置された一つの貯水エリア３０へ導流し、貯水エリア３０の中における海水が、第１の水ポンプ４０を利用して高い箇所の貯水バケット５０に吸引され、貯水バケット５０の海水が砂沈積・泥排出池の泥排出および池洗浄のために用いられる。【選択図】図１Ａ
0003227378.tif 000002
【実用新案登録請求の範囲】
【請求項１】
海域中の海底に設置された少なくとも一つの泥引出・排出管と、
前記少なくとも一つの泥引出・排出管により、シルトを含有する海水を、該第１の気密式泥シンク池へ吸入する少なくとも一つの第１の気密式泥シンク池と、
前記第１の気密式泥シンク池の上方に設置された少なくとも一つの導水管と、
陸地上の地底層に設置され、該少なくとも一つの導水管を利用して海水を該貯水エリアへ導流し、且つ一つの水吸引管を接続する一つの貯水エリアと、
高い箇所に設置され、該貯水エリアの該水吸引管に接続して水を導入し、更に該水吸引管を利用して該貯水バケットへ吸入する一つの貯水バケットとを含むことを特徴とする、ダム・シルトの取除き及び水回収システム。
【請求項２】
一つの集水池を更に含み、
前記集水池が一つの水供給管を経由して水を該第１の気密式泥シンク池へ供給することにより、該第１の気密式泥シンク池の内における海水を、該貯水エリアへ吸引することを特徴とする、請求項１に記載のダム・シルトの取除き及び水回収システム。
【請求項３】
一つの第１の水ポンプを更に含み、
前記第１の水ポンプは、該貯水エリアと該貯水バケットとの間の海域に設置され、該導水管と該水吸引管を接続し、該水吸引管により、該第１の気密式泥シンク池を経由して濾過した後の海水を該貯水バケットへ吸入し、
前記第１の水ポンプが、一つのピストン，一つのドライブ・シャフトと一つのフロートバケットを有し、
前記フロートバケットの内に半分バケットの水量が含有され、
前記ピストンが該ドライブ・シャフトに接続され、
前記フロートバケットが該ドライブ・シャフトに接続され、
前記導水管と前記水吸引管にそれぞれ一つの逆止弁が設置され、海の波の浮き沈みにより該第１の水ポンプの該ピストンの作動と連動することを特徴とする、請求項１または２に記載のダム・シルトの取除き及び水回収システム。
【請求項４】
複数個の砂沈積・泥排出池を更に含み、
前記貯水バケットの内における海水が、一つの導流管を経由して水を一つのウォーターディスペンサーへ導入し、
前記ウォーターディスペンサーが、一つの配水管を利用することにより、海水をそれぞれ該各砂沈積・泥排出池底の泥累積エリアへ導入することを特徴とする、請求項３に記載のダム・シルトの取除き及び水回収システム。
【請求項５】
一つのダム周囲のダム本体に巡って設置されたダム巡り泥排出グルーブと山域の複数個の砂泥排出グルーブを更に含み、
前記ダム巡り泥排出グルーブが、砂泥の流入に供するための複数個の泥ガイド穴を有し、且つ該砂泥を該各砂沈積・泥排出池へまとめて集中し、複数個の水出口により排水し、順次に該各砂沈積・泥排出池が直列に接続し、最後に直列に接続された該砂沈積・泥排出池が一つの回収管を利用して他の一つの水ポンプを接続し、
前記他の一つの水ポンプと一つの集水管により、水を該ダムの上方にある一つの集水域へ回収し、
前記他の一つの水ポンプが、一つのパワー・カーブホイールセット、スライドレール、パワールームと導水管路を有し、
前記パワールームの内に、一つのピストンと一つのドライブ・シャフトがあることを特徴とする、請求項４に記載のダム・シルトの取除き及び水回収システム。
【請求項６】
前記ダム底部周囲に敷設され、且つシルトを吸い込むために用いられる複数本の泥吸引管を更に含み、
シルトが該各泥ガイド穴を経由して該ダム巡り泥排出グルーブへ流入した後に、該各砂沈積・泥排出池へまとめて集中し、
前記各砂沈積・泥排出池の底部に、一つの泥排出管が接続されることを特徴とする、請求項５に記載のダム・シルトの取除き及び水回収システム。
【請求項７】
前記ダム巡り泥排出グルーブが一定の深度を有することにより、砂泥と泥排出の流れを収納し、
前記各泥排出グルーブと前記ダム巡り泥排出グルーブの上に、いずれも泥排出グルーブ・カバーが設けられ、
前記泥排出グルーブ・カバーが網状或いは開孔状で、該ダム巡り泥排出グルーブの側面に、複数個のスロットが設けられることを特徴とする、請求項６に記載のダム・シルトの取除き及び水回収システム。
【請求項８】
一つの回転羽根セットを更に含み、
前記回転羽根セットが、一つの回転羽根、導流伝動管、回転羽根ドライブ・シャフト、ギア、連動チェーン及びベアリングを含み、
前記他の水ポンプが潮汐を利用し或いは該ダムにより発電を行う時に、該ダムの水位が下がることにより、該回転羽根セットと連動し、
前記パワー・カーブホイールセットの上下を稼働して該ドライブ・シャフトを伝動することにより、前記ピストンと連動し、加えて該回収管，該集水管，該導水管路の長さ及び位置に基づき、適当な位置箇所に複数個の逆止弁が設置されることにより、水吸引機能を生成することを特徴とする、請求項７に記載のダム・シルトの取除き及び水回収システム。
【請求項９】
一つの第２の気密式泥シンク池、一つの泥引出・排出管、一つの導水管、一つの集水池及び一つの水吸引管を更に含み、
前記泥引出・排出管が、該ダムの中にシルトを含有する水を、該第２の気密式泥シンク池へ吸入することにより、シルトが該第２の気密式泥シンク池の池底に沈澱し、
前記導水管が該第２の気密式泥シンク池を接続し、前記集水池が、該導水管により該第２の気密式泥シンク池の内における水を導入し、該集水池の底部に一つの泥排出管が設けられ、
更に該水吸引管が、該集水池の中における水を、該ダムの中へ導入して流れることを特徴とする、請求項８に記載のダム・シルトの取除き及び水回収システム。
【請求項１０】
前記第２の気密式泥シンク池の最も優れた設置場所が、山頂であることを特徴とする、請求項９に記載のダム・シルトの取除き及び水回収システム。
【請求項１１】
一つの第２の水ポンプを更に含み、
前記水吸引管が前記集水池と前記ダムとの間に設置され、
前記第２の水ポンプが、該水吸引管により該集水池を接続し、前記第２の水ポンプが、該水吸引管により水を前記ダムへ送入することを特徴とする、請求項１０に記載のダム・シルトの取除き及び水回収システム。
【請求項１２】
前記第２の水ポンプが、一つのパワー・カーブホイールセット，スライドレール，パワールームと導水管路を含み、
前記パワールームの内に一つのピストンと一つのドライブ・シャフトがあり、
前記ダムを利用して発電を行い、水位が下がる時に、一つの回転羽根セットにより、前記パワー・カーブホイールセットの上下と連動して稼働し、
前記ドライブ・シャフトを伝動することにより、該ピストンと連動し、且つ前記回収管、前記集水管、該導水管路の長さ及び位置に基づき、適当な位置箇所に複数個の逆止弁が設置されることにより、水吸引機能を生成することを特徴とする、請求項１１に記載のダム・シルトの取除き及び水回収システム。
【請求項１３】
前記回転羽根セットが、一つの回転羽根、導流伝動管、回転羽根ドライブ・シャフト、ギア、連動チェーンとベアリングを含み、
前記ダムを利用して発電を行い、水位が下がる時に全機回転羽根セットと連動し、該パワー・カーブホイールセットの上下を稼働して該ドライブ・シャフトを伝動することにより、該ピストンと連動し、
加えて該回収管、該集水管、該導水管路の長さ及び位置に基づき、適当な位置箇所に複数個の逆止弁が設置されることにより、水吸引機能を生成することを特徴とする、請求項１２に記載のダム・シルトの取除き及び水回収システム。
【請求項１４】
一つのフロートボール・スイッチを更に含み、
前記フロートボール・スイッチが中空状を呈し、内に一つの水路が開設され、且つ一つのフロートボールが収納され、
前記フロートボールを利用することにより、該水路のスイッチを制御し、該泥引出・排出管の進水を調整することを特徴とする、請求項１３に記載のダム・シルトの取除き及び水回収システム。
【考案の詳細な説明】
【技術分野】
【０００１】
本考案は、シルト（砂）を抽出・除去する装置に関するもので、特に海底とダムのシルト（砂）を抽出して気密式泥シンク池を利用して周辺の設備に対応して水循環回収使用を達成するシステムに関するものである。
【背景技術】
【０００２】
台湾は海島に所属する位置にあり、四方が海に囲まれているが、民衆が普段の生活で頼る使用している用水が、未だ主としてダムで貯水されたものを供水して利用する。ダムの供水以外の更なる他の重大な目的が発電である。但し、気候の原因で、ダムが渇水期の時に、ダムの水量が不足することにより、たまたま地区分け給水、取水制限の状況を招くことがある。
【０００３】
ダムの水量不足を招く原因の一つは、即ち集水域の丘の中腹地の土壌，ストーンがダムに入り込んでシルト堆積を招くことである。大雨または台風が過ぎた後に、漂流する大量の木がダムに流れ込んで土石流を常に招くことにより、ダムのシルト堆積状況がもっと厳しくなり、ダムの貯水量が減少して生活用水の供給が不調するだけではなく、甚だしきに至ってはダムの発電所が発電の稼働を作動しない可能性を招く訳で、従って河流ダムのシルト取除きは、何れも今まで政府の水保護ユニットが解決しようとする一番大事な課題である。
【０００４】
ダムがシルト（砂）取除きの作業を行う時に、通常の作法は、予めシルトと混雑する枯れ木を、洗い流して排出し或いは引き上げて接岸する必要があり、従って専門のダイバーを雇って機材・設備などのシルト堆積を取り除く必要があり、時間と労力が掛かり且つ必要な経費が安くないので、経済的に有効な作法に所属するものではない。
【考案の概要】
【考案が解決しようとする課題】
【０００５】
前述のダム・シルト及び貯水問題を解決するために、政府と民間は、大量の人力と経費を投入してダム及び関連する対策を整備・修復し、例えば曽文ダムに対して数十億台湾ドルを消費して完成された砂排出トンネルについて、該項目の計画の費用が余り高すぎで、全てのダムに普及して適用できなくて、シルト取除きの効果も、予期の目的を達成できるかどうかを検証する必要がある。従って、どのように経済的かつ有効なダム・シルト取除き装置を積極的に開発するのは、依然として一刻も猶予できない重要な課題である。
【課題を解決するための手段】
【０００６】
上記の通りで、前述のダム・シルト及び貯水問題を解決し、同時に既存のシルト取除きの作法を改善するために、本考案は、ダム・シルトの取除き及び水回収システムを提出し、サイフォン原理と連絡管原理を利用し、ダム・シルト泥（砂）の問題を解決できるために用いられる以外に、同時にダム上流の山地サイドスロープの土層表面水土の土流れ，泥流れおよび木の枝，ストーンの流れ方向を導くことによりダムへの流入を避ける。
【０００７】
本考案のダム・シルトの取除き及び水回収システムは、海底に設置された少なくとも一つの泥引出・排出管と、泥引出・排出管によりシルトを含有する海水を、第１の気密式泥シンク池へ吸入してシルトを第１の気密式泥シンク池の池底に沈澱し且つ第１の気密式泥シンク池が海面位置箇所に設置された少なくとも一つの第１の気密式泥シンク池と、第１の気密式泥シンク池の上方に設置された少なくとも一つの導水管と、陸地上の地底層に設置され且つ導水管を利用して海水を貯水エリアへ導流する一つの貯水エリアと、海域の中に設置された一つの第１の水ポンプと、高い箇所に設置され且つ第１の水ポンプにより一つの水吸引管を利用して貯水エリアの中における海水を貯水バケットへ接続して吸入し更に貯水バケットの海水が砂沈積・泥排出池（泥累積エリア）の泥排出・池洗浄のために用いられる一つの貯水バケットとを、含んでなる。本考案は、一つの第２の気密式泥シンク池を更に含み、該第２の気密式泥シンク池が適当な高い箇所に設置され、例えば設置場所が山域または山頂の上で、第２の気密式泥シンク池が、一つの泥引出・排出管により、ダムの中にシルトを含有する水を、第２の気密式泥シンク池へ吸入し、泥引出・排出管が、気密式泥シンク池の上方池の高さから約５分の１を離れる高度箇所の右側面より、第２の気密式泥シンク池の内に進入し、シルトＭが第２の気密式泥シンク池の池底に沈澱した後に、水が再び第２の気密式泥シンク池の左側面に設置された一つの導水管を経由して一つの集水池へ導流し、集水池がダムＲより数キロ低くなる箇所に設置されることを必要とし、水を満たす泥引出・排出管，第２の気密式泥シンク池と導水管が、強大な排出・吸引力を生成する。集水池は、どうしても長期間の循環利用によりシルトを沈積する可能性があり、台風または水災時に、集水池が泥排出管を制御・管理する切換スイッチを開放でき、集水池の中における水と砂泥が、前述の海域中に設置された少なくとも一つの第１の気密式泥シンク池に流入し、或いは大きな海の中へ排出して島作りを行う。
【考案の効果】
【０００８】
本考案のダム・シルトの取除き及び水回収システムは、海底およびダムのシルト堆積を有効に抽出できることにより、ダムの貯水量が正常な水量に維持し、ダムの貯水・洪水防止機能を有効に発揮し、且つダムの使用期限を延長する。
【０００９】
本考案の更なる他の目的は、島作りの機能を有するものであり、即ち水ポンプにより抽出されたシルトを、回収して利用でき、干拓地を埋め立てることができる。
【図面の簡単な説明】
【００１０】
【図１Ａ】本考案の全体的な配置模式図である。
【図１Ｂ】本考案のダム・シルトの取除き及び水回収システムの配置模式図である。
【図１Ｃ】本考案の砂沈積・泥排出池の詳細な作動模式図である。
【図１Ｄ】図１Ｂの中におけるジャックの平面模式図である。
【図２】図１Ｂの他の視角からの部分配置および断面模式図である。
【図３】本考案の海中のシルトを抜き取る装置模式図である。
【図４】本考案の海水回収装置の模式図である。
【図５】ダムのシルトが砂泥排出グルーブへ流入する模式図である。
【図６Ａ】水ポンプの作動構造模式図である。
【図６Ｂ】羽根セットの作動構造模式図である。
【図７】本考案がダム位置に配置する模式図である。
【図８】本考案のシルトの取除き及び水回収の流れの模式図である。
【図９】本考案のダム巡り泥排出グルーブの配置模式図である。
【図１０】本考案のフロートボール・スイッチの作動構造模式図である。
【考案を実施するための形態】
【００１１】
以下に、適当な実施例を挙げて図面に対応して説明することにより、所属する技術領域において通常の知識を有する者が、これに基づき、本考案の技術内容、目的、特徴と利点を完成し且つ実施できる。
【００１２】
図１と図２は、本考案のダム・シルトの取除き及び水回収システムの配置図で、図３と図４に対応して参照するが、ダム・シルトの取除き及び水回収システムは、
海域Ｓの中の海底に設置された少なくとも一つの泥引出・排出管１０と、
泥引出・排出管１０により、シルトＭを含有する海水を、第１の気密式泥シンク池２０１へ吸入してシルトＭを第１の気密式泥シンク池２０１の池底に沈澱し且つ第１の気密式泥シンク池２０１が海面位置箇所に設置された少なくとも一つの第１の気密式泥シンク池２０１と、
第１の気密式泥シンク池２０１の上方に設置された少なくとも一つの導水管１１と、
陸地上Ｇの地底層に設置され且つ導水管１１を利用して海水を貯水エリア３０へ導流する一つの貯水エリア３０と、
海域Ｓの中に設置され且つ第１の水ポンプ４０が、ピストン４１、ドライブ・シャフト４２と、フロートバケット４３を有し、フロートバケット４３の内に半分バケットの水量が含有され、ピストン４１がドライブ・シャフト４２に接続され、フロートバケット４３がドライブ・シャフト４２に接続され、海の波の浮き沈みによりフロートバケット４３がドライブ・シャフト４２を駆動し更に第１の水ポンプ４０のピストン４１と連動して上下に穏やかで作動する一つの第１の水ポンプ４０と、
高い箇所に設置され、例えば高い山の上に設置され且つ第１の水ポンプ４０により一つの水吸引管１２を利用して貯水エリア３０の中における海水を貯水バケット５０へ接続して吸入し、更に導水管１１と水吸引管１２にそれぞれ一つの逆止弁（未図示）が設置される一つの貯水バケット５０とを、含んでなる。
【００１３】
前述の第１の気密式泥シンク池２０１は、一つの集水池２２０により一つの切換スイッチ２２２を利用して泥排出管２２１の流れ方向を制御し、台風または火災時に、泥排出管２２１の内における水とシルトが大きい海へ排出され、或いは流れ方向を変更して気密状態を呈する第１の気密式泥シンク池２０１へ流れる。第１の気密式泥シンク池２０１の内に水が溢れる時に、気密サイフォン作用のために、つまり導水管１１により、第１の気密式泥シンク池２０１から貯水エリア３０へ水を有効に加速して吸収できる。
【００１４】
また、図３と図４に示すように、その中でも、貯水エリア３０の中における海水が、更に水吸引管１２により第１の水ポンプ４０へ導入し、第１の水ポンプ４０が海水の満潮・干潮によりフロートバケット４３に対応してドライブ・シャフト４２によりピストン４１と連動して作動し、水吸引管１２により、第１の気密式泥シンク池２０１を経由して濾過された後の海水を、貯水バケット５０へ吸収する。図１を参照するが、貯水バケット５０の内における海水が、既にシルトＭを濾過して除去されたので、再び導流管５１を経由して水を一つのウォーターディスペンサー５２へ導入し、砂沈積・泥排出池１０５の内にある水栓１０５４が確実に閉鎖され、ジャック１０５２と泥沈積エリアの排出孔１０５５が開放することにより、ウォーターディスペンサー５２の内にある水栓５２１が開放でき、配水管５３により水を導水して洗い流し・洗浄として用いられる。第１の水ポンプ４０を進出する水吸引管１２の内に、それぞれ一つの逆止弁１２１が設置される。
【００１５】
再び図面の図１Ｂと図２を参照するが、図の中に示すのは、ダムＲ周囲のダム本体１００と山域ｍｔに巡って設置されたダム巡り泥排出グルーブ１０１０及び複数個の砂泥排出グルーブ１０１である。ダム巡り泥排出グルーブ１０１０が、複数個の泥ガイド穴１０４と泥吸引管１０３を有し、ダムＲと山域ｍｔとの間に設置された砂泥排出グルーブ１０１により導流して流れ込んだ帯水砂泥を、受け入れ、複数個の砂沈積・泥排出池１０５へまとめて集中し、砂沈積・泥排出池１０５の泥沈積エリアにシルトが満ちるまで目で泥観察孔１０５１を観察する時に、つまり水栓１０５４の閉鎖を確認した後に、再び泥沈積エリアの排出孔１０５５を開放し、ジャック１０５２及びウォーターディスペンサー５２の内における水栓５２１を開放・閉鎖し、配水管５３を経って導水してシルト堆積池を洗い流す。そして泥排出管１０６が、複数個の砂沈積・泥排出池１０５にシルト堆積池を洗い流して排出された砂泥沈積物を、受け入れ、企画された干拓地の計画区の中へ排出して埋め立て、土地作り・島作り行程を行う。
【００１６】
図１Ｃと図１Ｄに示すように、砂沈積・泥排出池１０５の底部における泥沈積エリアの排出孔１０５５が、一つのジャック１０５２により泥沈積エリアの排出孔１０５５を当着し、ジャック１０５２が横ビーム１０５６により支持され、且つ一つの高圧管１０５３により封止作用力を提供し、泥観察孔１０５１により砂沈積・泥排出池１０５の内におけるシルト堆積状況を観察でき、もし砂沈積・泥排出池１０５の泥沈積エリアに既に砂泥が満ちれば、この時に、砂沈積・泥排出池１０５の内における水栓１０５４が直ちに閉鎖し、ウォーターディスペンサー５２の上方に設置されたモーターｍｏを起動し、カウンターウェイトｗｔのバランスにより水栓５２１を簡単に開放し、ジャック１０５２の高圧管１０５３が、高圧ガスの供給を中止して下向きに移し、泥排出管１０６から砂泥を直ちに排出できる。
【００１７】
砂沈積・泥排出池１０５の泥沈積エリアの内に砂泥が既に排除して洗浄された時に、先ずウォーターディスペンサー５２の内における水栓５２１の閉鎖及びジャック１０５２による泥沈積エリアの排出孔１０５５への逆当着を、確認する必要があったら、砂沈積・泥排出池１０５の内における水栓１０５４が再び開放できる。
【００１８】
順次に複数個の砂沈積・泥排出池１０５が直列に接続し、最後に直列に接続された一つの砂沈積・泥排出池１０５が回収管１０７を利用して一つの水ポンプ７０を接続し、水ポンプ７０と一つの集水管７０１により、水をダムRの上方に位置する一つの集水域Ｗへ回収し、集水域Ｗが一つの水口（未図示）によりダム巡り泥排出グルーブ１０１０へ接続し、大量の給水の水流により、ダム巡り泥排出グルーブ１０１０の内に沈積する帯水砂泥を衝撃して砂沈積・泥排出池１０５へ流入し、水口が水栓またはウォーターゲート・スイッチを使用してその出水の大きさを制御できる。
【００１９】
ダムの内に沈澱・堆積した累積砂泥および腐敗した枯れ枝・残り木も、ダム底部周囲に敷設された複数本の泥吸引管１０３により抽出でき、更にダム本体１００の上における複数個の泥ガイド穴１０４を経由してダム巡り泥排出グルーブ１０１０へ流入した後に、複数個の砂沈積・泥排出池１０５へまとめて集中する。
【００２０】
ダム巡り泥排出グルーブ１０１０が、所定の深さを持つことにより、砂泥と排出泥の流れを収納することを必要とし、ダム巡り泥排出グルーブ１０１０の上に、泥排出グルーブ・カバー１０２が設置され、泥排出グルーブ・カバー１０２が開孔状または網状を有することにより、雨水，排水または溢れる水が、何れもダム巡り泥排出グルーブ１０１０へ流入でき、且つ人員または品物がグルーブの内への意外な落下を、防止できる。その他に、図５に示すように、ダム巡り泥排出グルーブ１０１０の側面にも、開けスロット１０１１を設置でき、地下水を導流する。
【００２１】
他の実施例の中において、第１の水ポンプ４０の構造が、例えば図６Aに示す多機能水ポンプ７０のように、一つのパワー・カーブホイールセット７１，スライドレール７２，パワールーム７３と導水管路７４を含んでなり、パワールーム７３の内に、一つのピストン４１と一つのドライブ・シャフト４２がある。
【００２２】
その他に、図６Ｂに示すのは、一つの回転羽根セットであり、該回転羽根セットが、一つの回転羽根８０、導流伝動管８１、回転羽根ドライブ・シャフト８２、ギア８３、連動チェーン８４とベアリング８５を含んでなり、水ポンプ７０が潮汐を利用し或いはダムにより発電を行う時に、ダムの水位が下がることにより、回転羽根セットと連動し、パワー・カーブホイールセット７１の上下を稼働してドライブ・シャフト４２を伝動することにより、ピストン４１と連動し、加えて回収管１０７、集水管７０１、導水管路７４の長さ及び位置に基づき、適当な位置箇所に複数個の逆止弁７４１が設置されることにより、水吸引抽出機能を生成する。
【００２３】
本考案は、一つの第２の気密式泥シンク池２０２を更に含み、適当な高い箇所に設置され、例えば設置場所が山域ｍｔまたは山頂の上で、図７に示すのが山域ｍｔで、図８に示すのが第２の気密式泥シンク池２０２で、泥引出・排出管２１１により、ダムRの中にシルトＭを含有する水を、第２の気密式泥シンク池２０２へ吸入することにより、泥引出・排出管２１１が、第２の気密式泥シンク池２０２の上方池の高さから約５分の１を離れる高度箇所の右側面より、第２の気密式泥シンク池２０２の内に進入し、シルトＭが第２の気密式泥シンク池２０２の池底に沈澱した後に、水が再び第２の気密式泥シンク池２０２の左側面に設置された一つの導水管２１２を経由して一つの集水池２２０へ導流し、集水池２２０がダムＲより数キロ低くなる箇所に設置されることを必要とし、水を満たす泥引出・排出管２１１，第２の気密式泥シンク池２０２と導水管２１２が、強大な排出・吸引力を生成する。集水池２２０は、どうしても長期間の循環利用によりシルトを沈積する恐れがあり、台風または水災時に、集水池２２０が泥排出管２２１を制御・管理する切換スイッチ２２２を、開放でき、集水池２２０の中における水と砂泥が、前述の海域中に設置された少なくとも一つの第１の気密式泥シンク池２０１に流入し、或いは大きな海の中へ排出して島作りを行う。
【００２４】
第２の気密式泥シンク池２０２は、中上部分から池頂まで、左右側に連通する一つの仕切り壁２１３を設置し、右側区の漂流物が左側区へ漂うことを防止し、漂流物が第２の気密式泥シンク池２０２の左側区内部の導水管２１２の入口を塞ぐことを避けるが、左側区内部の導水管２１２の入口は、第２の気密式泥シンク池２０２の上方に近づく水の中に維持する必要があったら、池内の水を抽出できる。
【００２５】
或る実施例の中において、集水池２２０が一つの水吸引管２３１により第２の水ポンプ２３０を接続し、集水池２２０の中における水を、ダムRへ回収して繰り返して再利用する。第２の水ポンプ２３０が、集水池２２０とダムRとの間に設置され、陸地の高い箇所に位置し、例えば山頂に設置され、その構造が、前述の図６Aに示すような水ポンプ７０で、一つのパワー・カーブホイールセット７１，スライドレール７２，パワールーム７３と導水管路７４を含んでなり、パワールーム７３の内に一つのピストン４１と一つのドライブ・シャフト４２がある。
【００２６】
その他に、第２の水ポンプ２３０が図５に示すような回転羽根セットを接続し、該回転羽根セットが、一つの回転羽根８０，導流伝動管８１、回転羽根ドライブ・シャフト８２、ギア８３、連動チェーン８４とベアリング８５を含んでなり、回転羽根セットが、ダムRを利用して発電を行い、水位が下がる時に、パワー・カーブホイールセット７１の上下と連動して稼働してドライブ・シャフト４２を伝動することにより、ピストン４１と連動し、加えて水吸引管２３１、導水管路７４の長さ及び位置に基づき、適当な位置箇所に複数個の逆止弁７４１が設置されることにより、水抽出吸引機能を生成する。
【００２７】
再び図８を参照して示すように、本考案は、一つの泥シンク池２４０を更に含み、泥シンク池２４０が、ダムRより低くなる高度位置箇所に設置され、台風または水災時に、山域ｍｔの間に生成する土石流，残り枝・枯れ木の中における帯水砂泥，腐敗した枯れ木・残り枝などが、山域ｍｔの間における河流に沿って設置された泥排出グルーブ・カバー１０２を経由して濾過して砂泥排出グルーブ１０１に流入し（図７を参照）、土石流，残り枝・枯れ木が流動力を失うことにより、泥排出グルーブ・カバー１０２に停滞し、更に前向きに流動できなく、そして砂泥排出グルーブ１０１の内における帯水砂泥が、山の上からダム巡り泥排出グルーブ１０１０へ方向的に流れてダムＲより低くなる位置の泥シンク池２４０に流入し、ダム巡り泥排出グルーブ１０１０が、ダム本体１００に沿って設置され、一つの泥排出管２５４を使用して泥シンク池２４０の間に接続する。泥シンク池２４０の水位が高くなる時に、泥引出・排出管２１１の入口箇所に設置されたフロートボール・スイッチ２６０が開放し、フロートボール・スイッチ２６０の機能と連通するダムＭの泥引出・排出管２１１が、共に水を含有するシルトを、山域ｍｔまたは山頂に設置された第２の気密式泥シンク池２０２へ吸入して池底に沈澱する。
【００２８】
上記に示す通りで、ダム巡り泥排出グルーブ１０１０と砂泥排出グルーブ１０１の上に、何れも泥排出グルーブ・カバー１０２が設けられ、且つ全部が何れも所定の深さを持つことにより、シルトＭ、砂泥、腐敗した枯れ木・残り枝と排出泥の流れを収納することを必要とし、泥排出グルーブ・カバー１０２が開孔状または網状を有することにより、雨水、排水または溢れる水が、ダム巡り泥排出グルーブ１０１０と砂泥排出グルーブ１０１への流入に寄与でき、且つ人または品物がダム巡り泥排出グルーブ１０１０と砂泥排出グルーブ１０１への意外な落下を防止できる。
【００２９】
或る実施例の中において、例えば図１０に示すように、これが本考案のフロートボール・スイッチ２６０の作動構造模式図で、フロートボール・スイッチ２６０がダムＲと泥シンク池２４０の泥引出・排出管２１１の入口箇所に設置され、図８を参照し、フロートボール・スイッチ２６０が中空状を呈し、フロートボール・スイッチ２６０の内に一つのフロートボール栓２６１を容置し且つ一つのランナー２６２を開設し、フロートボール栓２６１をランナー２６２の一方向スイッチとして利用することにより、泥引出・排出管２１１の排出泥水を制御し、泥引出・排出管２１１の内に少なくとも一つの逆止弁２１１１が対応して設置されることにより、泥水がダムＲまたは泥シンク池２４０への逆流を避ける。
【００３０】
以上の詳述は、ただ単に例示を挙げるだけに過ぎず、本考案の技術内容を説明するために用いられる具体的な実施例だけで、本考案の実用新案登録請求の権利範囲を制限するために用いられるものではない。例え如何なる所属する技術領域において、通常の知識を有する者が本考案の技術内容の教示に基づいてなる等価な置換、修正または変更は、何れも本考案の実用新案登録請求の範囲中に含まれるべきで、本考案の権利範疇を脱離すべきである。
【符号の説明】
【００３１】
Ｇ  地面
Ｍ  シルト
ｍｏ  モーター
ｍｔ  山域
Ｒ  ダム
Ｓ  海域
Ｗ  集水域
ｗｔ  カウンターウェイト
１０  泥引出・排出管
１１  導水管  
１２  水吸引管
３０  貯水エリア
４０  第１の水ポンプ
４１  ピストン
４２  ドライブ・シャフト
４３  フロートバケット
５０  貯水バケット
５１  導流管
５２  ウォーターディスペンサー
５３  配水管
７０  水ポンプ
７１  パワー・カーブホイールセット
７２  スライドレール
７３  パワールーム
７４  導水管路
８０  回転羽根
８１  導流伝動管
８２  回転羽根ドライブ・シャフト
８３  ギア
８４  連動チェーン
８５  ベアリング
１００  ダム本体
１０１  砂泥排出グルーブ
１０２  泥排出グルーブ・カバー
１０３  泥吸引管
１０４  泥ガイド穴
１０５  砂沈積・泥排出池
１０６  泥排出管
１０７  回収管
１２１  逆止弁
２０１  第１の気密式泥シンク池
２０２  第２の気密式泥シンク池
２１１  泥引出・排出管
２１２  導水管
２１３  仕切り壁
２２０  集水池
２２１  泥排出管
２２２  切換スイッチ
２３０  第２の水ポンプ
２３１  水吸引管
２４０  泥シンク池
２５４  泥排出管
２６０  フロートボール・スイッチ
２６１  フロートボール
２６２  ランナー
５２１  水栓
７０１  集水管
７４１  逆止弁
１０１０  ダム巡り泥排出グルーブ
１０１１  開けスロット
１０５１  泥観察孔
１０５２  ジャック
１０５３  高圧管
１０５４  水栓
１０５５  泥沈積エリアの排出孔
１０５６  横ビーム
２１１１  逆止弁
【図１Ａ】
0003227378.tif 000003
【図１Ｂ】
0003227378.tif 000004
【図１Ｃ】
0003227378.tif 000005
【図１Ｄ】
0003227378.tif 000006
【図２】
0003227378.tif 000007
【図３】
0003227378.tif 000008
【図４】
0003227378.tif 000009
【図５】
0003227378.tif 000010
【図６Ａ】
0003227378.tif 000011
【図６Ｂ】
0003227378.tif 000012
【図７】
0003227378.tif 000013
【図８】
0003227378.tif 000014
【図９】
0003227378.tif 000015
【図１０】
0003227378.tif 000016
【手続補正書】
【提出日】令和2年5月28日(2020.5.28)
【手続補正１】
【補正対象書類名】実用新案登録請求の範囲
【補正対象項目名】全文
【補正方法】変更
【補正の内容】
【実用新案登録請求の範囲】
【請求項１】
海域中の海底に設置された少なくとも一つの泥引出・排出管と、  前記少なくとも一つの泥引出・排出管により、シルトを含有する海水を、第１の気密式泥シンク池へ吸入する少なくとも一つの第１の気密式泥シンク池と、  前記第１の気密式泥シンク池の上方に設置された少なくとも一つの導水管と、  陸地上の地底層に設置され、該少なくとも一つの導水管を利用して海水を貯水エリアへ導流し、且つ一つの水吸引管を接続する一つの貯水エリアと、  高い箇所に設置され、該貯水エリアの該水吸引管に接続して水を導入し、更に該水吸引管を利用して貯水バケットへ吸入する一つの貯水バケットとを含むことを特徴とする、ダム・シルトの取除き及び水回収システム。
【請求項２】
一つの集水池を更に含み、  前記集水池が一つの水供給管を経由して水を該第１の気密式泥シンク池へ供給することにより、該第１の気密式泥シンク池の内における海水を、該貯水エリアへ吸引することを特徴とする、請求項１に記載のダム・シルトの取除き及び水回収システム。
【請求項３】
一つの第１の水ポンプを更に含み、  前記第１の水ポンプは、該貯水エリアと該貯水バケットとの間の海域に設置され、該導水管と該水吸引管を接続し、該水吸引管により、該第１の気密式泥シンク池を経由して濾過した後の海水を該貯水バケットへ吸入し、  前記第１の水ポンプが、一つのピストン，一つのドライブ・シャフトと一つのフロートバケットを有し、  前記フロートバケットの内に半分バケットの水量が含有され、  前記ピストンが該ドライブ・シャフトに接続され、  前記フロートバケットが該ドライブ・シャフトに接続され、  前記導水管と前記水吸引管にそれぞれ一つの逆止弁が設置され、海の波の浮き沈みにより該第１の水ポンプの該ピストンの作動と連動することを特徴とする、請求項１または２に記載のダム・シルトの取除き及び水回収システム。
【請求項４】
複数個の砂沈積・泥排出池を更に含み、  前記貯水バケットの内における海水が、一つの導流管を経由して水を一つのウォーターディスペンサーへ導入し、  前記ウォーターディスペンサーが、一つの配水管を利用することにより、海水をそれぞれ該各砂沈積・泥排出池底の泥累積エリアへ導入することを特徴とする、請求項３に記載のダム・シルトの取除き及び水回収システム。
【請求項５】
一つのダム周囲のダム本体に巡って設置されたダム巡り泥排出グルーブと山域の複数個の砂泥排出グルーブを更に含み、  前記ダム巡り泥排出グルーブが、砂泥の流入に供するための複数個の泥ガイド穴を有し、且つ該砂泥を該各砂沈積・泥排出池へまとめて集中し、複数個の水出口により排水し、順次に該各砂沈積・泥排出池が直列に接続し、最後に直列に接続された該砂沈積・泥排出池が一つの回収管を利用して他の一つの水ポンプを接続し、  前記他の一つの水ポンプと一つの集水管により、水を該ダムの上方にある一つの集水域へ回収し、  前記他の一つの水ポンプが、一つのパワー・カーブホイールセット、スライドレール、パワールームと導水管路を有し、  前記パワールームの内に、一つのピストンと一つのドライブ・シャフトがあることを特徴とする、請求項４に記載のダム・シルトの取除き及び水回収システム。
【請求項６】
前記ダム底部周囲に敷設され、且つシルトを吸い込むために用いられる複数本の泥吸引管を更に含み、  シルトが該各泥ガイド穴を経由して該ダム巡り泥排出グルーブへ流入した後に、該各砂沈積・泥排出池へまとめて集中し、  前記各砂沈積・泥排出池の底部に、一つの泥排出管が接続されることを特徴とする、請求項５に記載のダム・シルトの取除き及び水回収システム。
【請求項７】
前記ダム巡り泥排出グルーブが一定の深度を有することにより、砂泥と泥排出の流れを収納し、  前記各泥排出グルーブと前記ダム巡り泥排出グルーブの上に、いずれも泥排出グルーブ・カバーが設けられ、  前記泥排出グルーブ・カバーが網状或いは開孔状で、該ダム巡り泥排出グルーブの側面に、複数個のスロットが設けられることを特徴とする、請求項６に記載のダム・シルトの取除き及び水回収システム。
【請求項８】
一つの回転羽根セットを更に含み、  前記回転羽根セットが、一つの回転羽根、導流伝動管、回転羽根ドライブ・シャフト、ギア、連動チェーン及びベアリングを含み、  前記他の水ポンプが潮汐を利用し或いは該ダムにより発電を行う時に、該ダムの水位が下がることにより、該回転羽根セットと連動し、  前記パワー・カーブホイールセットの上下を稼働して該ドライブ・シャフトを伝動することにより、前記ピストンと連動し、加えて該回収管，該集水管，該導水管路の長さ及び位置に基づき、適当な位置箇所に複数個の逆止弁が設置されることにより、水吸引機能を生成することを特徴とする、請求項７に記載のダム・シルトの取除き及び水回収システム。
【請求項９】
一つの第２の気密式泥シンク池、一つの泥引出・排出管、一つの導水管、一つの集水池及び一つの水吸引管を更に含み、  前記泥引出・排出管が、該ダムの中にシルトを含有する水を、該第２の気密式泥シンク池へ吸入することにより、シルトが該第２の気密式泥シンク池の池底に沈澱し、  前記導水管が該第２の気密式泥シンク池を接続し、前記集水池が、該導水管により該第２の気密式泥シンク池の内における水を導入し、該集水池の底部に一つの泥排出管が設けられ、  更に該水吸引管が、該集水池の中における水を、該ダムの中へ導入して流れることを特徴とする、請求項８に記載のダム・シルトの取除き及び水回収システム。
【請求項１０】
前記第２の気密式泥シンク池の最も優れた設置場所が、山頂であることを特徴とする、請求項９に記載のダム・シルトの取除き及び水回収システム。
【請求項１１】
一つの第２の水ポンプを更に含み、  前記水吸引管が前記集水池と前記ダムとの間に設置され、  前記第２の水ポンプが、該水吸引管により該集水池を接続し、前記第２の水ポンプが、該水吸引管により水を前記ダムへ送入することを特徴とする、請求項１０に記載のダム・シルトの取除き及び水回収システム。
【請求項１２】
前記第２の水ポンプが、一つのパワー・カーブホイールセット，スライドレール，パワールームと導水管路を含み、  前記パワールームの内に一つのピストンと一つのドライブ・シャフトがあり、  前記ダムを利用して発電を行い、水位が下がる時に、一つの回転羽根セットにより、前記パワー・カーブホイールセットの上下と連動して稼働し、  前記ドライブ・シャフトを伝動することにより、該ピストンと連動し、且つ前記回収管、前記集水管、該導水管路の長さ及び位置に基づき、適当な位置箇所に複数個の逆止弁が設置されることにより、水吸引機能を生成することを特徴とする、請求項１１に記載のダム・シルトの取除き及び水回収システム。
【請求項１３】
前記回転羽根セットが、一つの回転羽根、導流伝動管、回転羽根ドライブ・シャフト、ギア、連動チェーンとベアリングを含み、  前記ダムを利用して発電を行い、水位が下がる時に全機回転羽根セットと連動し、該パワー・カーブホイールセットの上下を稼働して該ドライブ・シャフトを伝動することにより、該ピストンと連動し、  加えて該回収管、該集水管、該導水管路の長さ及び位置に基づき、適当な位置箇所に複数個の逆止弁が設置されることにより、水吸引機能を生成することを特徴とする、請求項１２に記載のダム・シルトの取除き及び水回収システム。
【請求項１４】
一つのフロートボール・スイッチを更に含み、  前記フロートボール・スイッチが中空状を呈し、内に一つの水路が開設され、且つ一つのフロートボールが収納され、  前記フロートボールを利用することにより、該水路のスイッチを制御し、該泥引出・排出管の進水を調整することを特徴とする、請求項１３に記載のダム・シルトの取除き及び水回収システム。